(57)【特許請求の範囲】
【請求項１】
シートパイル（８）のシート（７）または、ペーパーロールから送られるウェブ（２７）を横方向切断機（２６）によってウェブ（２７）の搬送方向に対して横方向に切断して形成されるシート（７）に対して選択的に使用可能なシートパイル給紙部（２）の領域で当該シート（７）を搬送するための装置であって、ウェブ（２７）から形成される前記シート（７）が横方向切断機（２６）からシートを処理する機械（１）へ供給されるようになっており、ウェブ（２７）から形成される前記シート（７）を搬送するために搬送ベルト（３２）および該搬送ベルト（３２）と協働する圧着部材（３４）が設けられている形式のものにおいて、
圧着部材（３４）が、シートパイル給紙部（２）の、シートパイル（８）から該シートパイル（８）の上面に位置するシート（７）を取り出すための吸引ヘッド（１８）に配置されていることを特徴とする、横方向切断機からシートを処理する機械へシートを搬送するための装置。
【請求項２】
圧着部材（３４）が、シートの搬送方向もしくはその逆方向に吸引ヘッド（１８）を遠隔操作することよって調節可能に配置されている、請求項１記載の装置。
【請求項３】
圧着部材（３４）が、吸引ヘッド（１８）によって高さ調節可能に配置されている、請求項１または２記載の装置。
【請求項４】
モータによって駆動可能なねじ山付スピンドル（３９）が吸引ヘッド（１８）に設けられており、該ねじ山付スピンドル（３９）を介して、吸引ヘッド（１８）が、高さ調節可能に台車（４１）に支承されている、請求項１から３までのいずれか１項記載の装置。
【請求項５】
別のモータによって駆動可能な別のねじ山付スピンドル（４４）と、直線状の案内部材（４２，４３）とがシートパイル給紙部（２）に設けられており、前記台車（４１）が、該案内部材（４２，４３）によって案内され、前記別のねじ山付スピンドル（４４）によって、シート搬送方向およびその逆方向に調節可能である、請求項４記載の装置。
【請求項６】
前記ねじ山スピンドル（３９）を駆動する駆動モータ（４７）、および前記別のねじ山付スピンドル（４４）を駆動する別の駆動モータ（４８）が、遠隔操作のために、シートを処理する機械の制御コンピュータ（４６）に接続されている、請求項５記載の装置。
【請求項７】
圧着部材（３４）が、回転可能に支承されたブラシロールとしてそれぞれ形成されている、請求項１記載の装置。
【請求項８】
ブラシロール（３４）が、それぞれ板ばね（３５）の端部で支承されており、該板ばね（３５）が、シート搬送方向に対して横方向に摺動可能に横桁（３７）に配置されている、請求項７記載の装置。
【請求項９】
横桁（３７）が吸引ヘッド（１８）に固定されている、請求項８記載の装置。
【発明の詳細な説明】
【０００１】
【発明の属する技術分野】
本発明は、横方向切断機からシートを処理する機械、特に印刷機に搬送するための装置に関する。横方向切断機は予備ロールを有しており、この予備ロールからウェブが引き出され、横方向切断機に供給される。ウェブを、処理すべきシートに切断する横方向切断機は、場合によってはうろこ状にずれ重なるシート流を形成するための装置を有しており、このシート流が、シートを処理する機械に供給される。
【０００２】
【従来の技術】
このような装置は、例えばドイツ連邦共和国実用新案７６０１５５２号明細書により公知である。この明細書に記載の装置は、横方向切断機に加えて、選択的に運転可能なシートパイル給紙部を有している。ロール給紙部および横方向切断機が、シートを処理する機械に装着された場合には、パイルの処理のために設けられた、シートパイル給紙部の吸引ヘッドの運転は中止したままとなる。
【０００３】
【発明が解決しようとする課題】
したがって、本発明の課題は、横方向切断機によって形成された１枚１枚のシートまたは下側にずれ重なった１列のシート流を、シートパイル給紙部の吸引ヘッドの領域で案内する装置を提供することである。
【０００４】
【課題を解決するための手段】
この課題を解決するために本発明の構成では、圧着部材が、シートパイル給紙部のさばき部材に配置されるようになっている。
【０００５】
【発明の効果】
有利には、吸引ヘッドの作業領域に、圧着ローラが設けられていることであり、この圧着ローラは、横方向切断機の搬送ベルトと協働し、ひいては設けられたサイクルローラへのシートの正確な搬送を保証する。圧着ローラは、吸引ヘッドに固定されていて、吸引ヘッドの調節装置を介して調節することができる。吸引ヘッドは、シートのフォーマット調節を可能にする装置を有している。この手段により、吸引ヘッドを、例えばシートを処理する機械を前調節する際、シートを処理する機械の制御コンピュータを介して、処理すべきシートフォーマットに自動的に前調節することができる。本発明のように吸引ヘッドに圧着ローラを配置することによって、吸引ヘッドの調節装置が圧着ローラの自動的な調節に用いられるようになる。
【０００６】
【発明の実施の形態】
以下に本発明の実施の形態を図面を用いて詳しく説明する。
【０００７】
図１は、シートパイル給紙部およびロール給紙部を備えた、シートを処理する機械の概略的な断面図である。
【０００８】
図２は、シートパイル給紙部の領域における搬送区間の概略的な断面図である。
【０００９】
図３は、搬送区間の概略的な平面図である。
【００１０】
輪転印刷機、例えばシート７を処理する印刷機１は、１つの給紙部２、少なくとも１つの印刷装置３もしくは４、および１つの排紙部６を有している。シート７は、シートパイル８から取られ、１枚１枚に分離されまたはうろこ状にずれ重なって、供給テーブル９を介して印刷装置３および４に供給される。これら印刷装置３および４は、公知の形式で、それぞれ版胴１１；１２を有している。版胴１１および１２は、それぞれフレキシブルな版板を固定するための装置１３；１４を有している。さらに、各版胴１１；１２には、半自動的または全自動的な版板交換部１６；１７が対応配置されている。
【００１１】
シートパイル８は、昇降制御可能なパイルプレート１０の上に置かれている。シート７の取り出しは、シートパイル８の上面からいわゆる吸引ヘッド１８によって行われており、この吸引ヘッド１８は、特にシート７を１枚１枚に分離するための複数の、中でもいくつかの持ち上げ兼および送り用吸い口１９，２１を有している。さらに、上方のシートをさばくための送風装置（図示せず）および、パイルの持ち上げ制御のための検出エレメントが設けられている。また、シートパイル８、特にシートパイル８の上方のシート７をそろえるために、側方および後方に複数のストッパが設けられている。
【００１２】
シートを処理する機械１を、選択的にペーパロールによっても運転できるように、ロール給紙部（図示せず）がシートパイル給紙部２に前置されている。このシートパイル給紙部２は、特にペーパロール（図示せず）と横方向切断機２６とを有しており、この横方向切断機２６は、刃付胴２８およびこの刃付胴２８と協働する対応切断胴２９によって、ウェブ２７を１枚１枚のシート９に搬送方向に対して横方向に切断する。横方向切断装置２８，２９には、下側にずれ重なるシート列を形成するための装置が後置されている。この装置は、横方向切断機より搬送された１枚１枚のシートから、うろこ状にずれ重ねられたシート流を形成する。互いに並べて配置された複数の搬送ベルト３２は、給紙部の領域において、うろこ状のシート流を供給テーブル９の始端位置にある引き込みローラ３３へ搬送する。
【００１３】
うろこ状のシート流と搬送ベルト３２との良好な接触を得るために、複数の圧着ローラ３４が設けられており、これら圧着ローラ３４は、シートパイル給紙部２の吸引ヘッド１８に固定されている。圧着ローラ３４は、回転可能に支承され、かつ板ばね３５によってそれぞれ支持部３６に固定されたブラシローラとして形成されており、支持部３６は、シートの搬送方向に対して横方向に延びている横桁３７において、横方向に摺動可能に支承されている。横桁３７は、吸引ヘッド１８に固定されている。吸引ヘッド１８は、垂直に配置されていてモータによって調節可能なねじ山付スピンドル３９によって、高さ調節可能に配置されている。ねじ山付スピンドル３９は、台車４１に支承されている。台車４１は、２つのレール４２，４３によって案内され、モータで駆動されるねじ山付スピンドル４４によって、シートの搬送方向に、もしくはその逆方向に調節可能である。ねじ山付スピンドル３９，４４の駆動モータ４７，４８は、シートを処理する機械１の制御コンピュータ４６に制御工学的に接続されている。
【００１４】
ロールペーパの処理において必要であるのは、給紙領域で、搬送されるうろこ状にずれ重なったシート流が圧着ローラ３４によって搬送ベルト３２に圧着され、搬送ベルト３２とうろこ状のシート流との間に滑りが生じないようにすることである。この場合、圧着ローラ３４と引き込みローラ３３との間の間隔ａは、一番前のシートが引き込みローラ３３に到達した時に、圧着ローラ３４の圧着領域を離れるように寸法設定されている。様々な長さのシートを処理をする場合には、間隔ａは、ねじ山付スピンドル４４を用いて吸引ヘッド１８をシートの搬送方向もしくはその逆方向に摺動することによって、調節される。横桁３７に配置されたすべての圧着ローラ３４の高さ調節は、ねじ山付スピンドル３９によって行われる。圧着ローラ３４の、シートの搬送方向に対して横方向への調節は、各支持部３６に対応配置された固定ねじ４９によって行われる。
【００１５】
圧着ローラ３４の搬送ベルト３２からの高さｈ、および圧着ローラ３４と引き込みローラ３３との間隔ａの調節は、遠隔操作によって制御コンピュータ４６を介して自動的に、シートのフォーマットおよび厚さに依存して行うことができる。
【図面の簡単な説明】
【図１】シートパイル給紙部およびロール給紙部を備えた、シートを処理する機械の概略的な断面図である。
【図２】シートパイル給紙部の領域における搬送区間の概略的な断面図である。
【図３】搬送区間の概略的な平面図である。
【符号の説明】
１  印刷機、  ２  給紙部、  ３，４  印刷装置、  ６  排紙部、  ７  シート、  ７ａ  次のシート、  ８  シートパイル、  ９  供給テーブル、  １０  パイルプレート、  １１，１２  版胴、  １３，１４  版板固定装置、  １６，１７  版板交換部、  １８  吸引ヘッド、  １９  持ち上げ用吸い口、  ２１  送り用吸い口、  ２７  ウェブ、  ２８  刃付胴、  ２９  対応切断胴、  ３１装置、  ３２  搬送ベルト、  ３３  引き込みローラ、  ３４  圧着ローラ、３５  板ばね、  ３６  支持部、  ３７  横桁、  ３９  ねじ山付スピンドル、  ４１  台車、  ４２，４３  レール、  ４４  ねじ山付スピンドル、  ４６制御コンピュータ、  ４７，４８  駆動モータ、  ４９  固定ねじ、  ａ  間隔、  h  高さ
【図１】
0004868481.tif 000002
【図２】
0004868481.tif 000003
【図３】
0004868481.tif 000004